(57)【要約】【課題】駆動源を必要とすることなく、自然な照明を行い得る位置に移動することができるストロボ装置を提供する。【解決手段】ストロボ装置は、揺動軸ＡＸを軸中心とする支持軸を有する支持筐体と、揺動軸ＡＸの周りに揺動可能に取り付けられたストロボ本体３と、を備えている。支持軸は、ストロボ装置がカメラに装着された際に揺動軸ＡＸが撮影レンズの光軸と平行となるように構成されている。ストロボ本体３は、揺動軸ＡＸを挟んだ本体上部および本体下部と、本体上部に配設された発光窓３４とを有し、本体上部の質量をＭＵ、揺動軸ＡＸから本体上部の重心ＧＵまでの距離をＲＵ、本体下部の質量をＭＤ、揺動軸ＡＸから本体下部の重心ＧＤまでの距離をＲＤとしたときに、ＭＵ×ＲＵ＜ＭＤ×ＲＤの関係式を満たすように構成されている。【選択図】図５
2012042609.tif 000002
【特許請求の範囲】
【請求項１】
カメラのストロボシューに着脱可能に取り付けるための取付座と、上記取付座によりカメラのストロボシューに装着された際に該カメラの撮影レンズの光軸と平行となるように配設された揺動軸と、を有する支持筐体と、
上記揺動軸の周りに揺動可能に取り付けられ、該揺動軸を挟んだ一端側となる本体上部と、該揺動軸を挟んだ他端側となる本体下部と、上記本体上部に配設された発光部と、を有するストロボ本体と、
を具備し、
上記ストロボ本体は、上記本体上部の質量をＭＵ、上記揺動軸から該本体上部の重心までの距離をＲＵ、上記本体下部の質量をＭＤ、該揺動軸から該本体下部の重心までの距離をＲＤとしたときに、
ＭＵ×ＲＵ＜ＭＤ×ＲＤ
の関係式を満たすように構成されたものであることを特徴とするストロボ装置。
【請求項２】
上記本体下部には、上記発光部へ供給するための発光電力を蓄積するコンデンサが配置されていることを特徴とする請求項１に記載のストロボ装置。
【請求項３】
上記本体下部には、さらに、上記コンデンサへ電力を供給する電池を装填するための電池室が配置されていて、上記関係式は、該電池室に電池を装填した際に少なくとも満たされるものであることを特徴とする請求項１または請求項２に記載のストロボ装置。
【請求項４】
上記揺動軸周りの上記ストロボ本体の揺動を制振するための制振器をさらに具備したことを特徴とする請求項１から請求項３の何れか一項に記載のストロボ装置。
【発明の詳細な説明】
【技術分野】
【０００１】
本発明は、ストロボ装置、より詳しくは、カメラのストロボシューに着脱可能に取り付けられるストロボ装置に関する。
【背景技術】
【０００２】
太陽光や室内の天井照明などを例に挙げれば分かるように、自然光や人工照明は、多くの場合、上方から照明光を照射している。そこで、このような照明方向となるべく一致させて照明の不自然さをなくすようにするために、ストロボ装置を着脱可能に取り付けるためのストロボシューは、一般的に、カメラの上部、より詳しくは撮影レンズの上部に設けられている。
【０００３】
しかし、カメラによる撮影は基準位置となる横位置（正位置とも言い、通常に用いられる撮影状態で、カメラの左右を結ぶ線を地平線に平行にした状態である）でのみ行われるとは限らず、いわゆる縦位置（横位置に対し、光軸周りに９０°回転させた状態）でも行われるために、カメラの上部に固定されたストロボ装置の場合には、縦位置において横方向から被写体を照明することになってしまっていた。このときには、被写体の後方横に影が発生したり、被写体自体の側面に陰影が発生したりして、不自然な照明状態の写真が撮影されることになる。
【０００４】
そこで、こうした撮影位置によってストロボ照明に不自然さが生じるのを軽減するための提案が種々なされている。
【０００５】
例えば、特開２００４−２７９４５７号公報には、閃光装置（ストロボ装置）をレンズ周りに回動し得るように構成し、重力センサによりカメラの姿勢を検出して、閃光装置がレンズに対して適切な位置となるように、電動モータによって駆動する技術が記載されている。
【０００６】
また、特開２００９−８７０６号公報には、撮影光軸と平行な軸周りに発光部を回転可能に支持するとともに、姿勢センサによってカメラの姿勢を検出し、検出結果に応じてモータを駆動して、発光部が撮影光軸よりも上側に位置するように制御する技術が記載されている。
【先行技術文献】
【特許文献】
【０００７】
【特許文献１】特開２００４−２７９４５７号公報
【特許文献２】特開２００９−８７０６号公報
【発明の概要】
【発明が解決しようとする課題】
【０００８】
しかしながら、上記各公報に記載された技術では、カメラの姿勢に応じてストロボ装置を駆動するのにモータ等の駆動源や何らかの駆動力伝達機構が必要であるために、バッテリの消耗を早めてしまうとともに、カメラの重量が増したり製造コストを引き上げたりすることになってしまう。さらに、カメラの姿勢を検出するセンサも必要であるために、やはりコスト高の原因となる。
【０００９】
本発明は上記事情に鑑みてなされたものであり、駆動源を必要とすることなく、自然な照明を行い得る位置に移動することができるストロボ装置を提供することを目的としている。
【課題を解決するための手段】
【００１０】
上記の目的を達成するために、本発明のある態様によるストロボ装置は、カメラのストロボシューに着脱可能に取り付けるための取付座と上記取付座によりカメラのストロボシューに装着された際に該カメラの撮影レンズの光軸と平行となるように配設された揺動軸とを有する支持筐体と、上記揺動軸の周りに揺動可能に取り付けられ該揺動軸を挟んだ一端側となる本体上部と該揺動軸を挟んだ他端側となる本体下部と上記本体上部に配設された発光部とを有するストロボ本体と、を具備し、上記ストロボ本体は、上記本体上部の質量をＭＵ、上記揺動軸から該本体上部の重心までの距離をＲＵ、上記本体下部の質量をＭＤ、該揺動軸から該本体下部の重心までの距離をＲＤとしたときに、
ＭＵ×ＲＵ＜ＭＤ×ＲＤ
の関係式を満たすように構成されたものである。
【発明の効果】
【００１１】
本発明のストロボ装置によれば、駆動源を必要とすることなく、自然な照明を行い得る位置に移動することが可能となる。
【図面の簡単な説明】
【００１２】
【図１】本発明の実施形態１におけるストロボ装置の構成を示す、一部破断部を含む分解斜視図。
【図２】上記実施形態１におけるストロボ装置の構成を示す縦断面図。
【図３】上記実施形態１において、カメラが横位置であるときのストロボ装置の支持軸近傍の構成を示す該支持軸に垂直な断面図。
【図４】上記実施形態１において、カメラが縦位置であるときのストロボ装置の支持軸近傍の構成を示す該支持軸に垂直な断面図。
【図５】上記実施形態１において、電池蓋を取り外した状態のストロボ本体を示す正面図。
【図６】上記実施形態１において、図５の６−６断面を含む破断面で切断したときの前側本体ケースを背面側から示す斜視図。
【図７】上記実施形態１において、ストロボ本体を示す背面図。
【図８】上記実施形態１において、横位置であるときの、ストロボ装置を装着したカメラを示す正面図。
【図９】上記実施形態１において、把持部を上にした縦位置であるときの、ストロボ装置を装着したカメラを示す正面図。
【図１０】上記実施形態１において、把持部を下にした縦位置であるときの、ストロボ装置を装着したカメラを示す正面図。
【図１１】上記実施形態１におけるストロボ装置の電気的な構成を示す回路ブロック図。
【発明を実施するための形態】
【００１３】
以下、図面を参照して本発明の実施の形態を説明する。
［実施形態１］
【００１４】
図１から図１１は本発明の実施形態１を示したものである。まず、図１から図７を参照して、ストロボ装置１の構造を説明する。
尚、本説明において、被写体側を前側と言い、撮影者側を後側と言うことにする。
【００１５】
ストロボ装置１は、カメラ１００（図８〜図１０参照）に対して取り付けられる支持筐体２と、この支持筐体２に対して揺動可能に構成されたストロボ本体３と、を備えている。
【００１６】
まず、支持筐体２は、図１に示すように、カメラ１００のストロボシュー１００ａ（図８〜図１０参照）に着脱可能に取り付けるための取付座１１と、この取付座１１の上部に設けられた支持ケース１２と、この支持ケース１２から前方へ延設された支持軸１３と、を備えている。
【００１７】
ここに取付座１１は、ストロボシュー１００ａに対して例えばカメラの撮影レンズ光軸方向にスライドさせて取り付けるタイプのものであり、図２に示すように、カメラ１００との通信を行うためのＸ接点や信号ピンなどの通信端子２０が下端面側に設けられている。
【００１８】
支持ケース１２は、内部が中空となるように構成された箱体であり、内部の背面側にはストロボ基板１４が配設されている。このストロボ基板１４は、ＬＣＤ等でなる表示部１５、マイクロコンピュータ１６、コネクタ１７、スイッチ等の操作部材１９、電気部品２１などが実装された基板である。これらの内の表示部１５は、支持ケース１２の背面側に形成された矩形孔１２ａに嵌め込まれた透明窓２２を介して、カメラ１００を把持する撮影者から観察することができるようになっている。また、操作部材１９も同様に支持ケース１２に穿設された孔を介して外部に操作可能に露呈している。一方、コネクタ１７には通信線１８の一端側が接続されている。この通信線１８は、支持筐体２内のストロボ基板１４と、ストロボ本体３内の後述する昇圧基板４２（図２参照）とが通信を行うためのものである。
【００１９】
支持軸１３は、ストロボ本体３を支持筐体２に対して揺動可能に軸支するためのものである。この支持軸１３は、ストロボ装置１が取付座１１によってカメラ１００のストロボシュー１００ａに装着された際に、カメラ１００の撮影レンズ１０１の撮影光軸１０１ａ（図８〜図１０参照）と平行となるように配設されている。この支持軸１３は、内部に中空部１３ａを有するように円筒形状に形成されていて、基端側にフランジ１３ｃが、軸方向の中程よりもやや先端側に開口部１３ｂが、先端側に雌ねじ孔１３ｅおよびねじ収納部１３ｄが、それぞれ設けられている。
【００２０】
支持ケース１２は、前面側から軸支持ボス１２ｂを突設すると共に、前面側の内面に沿うように補強板２３が配設されていて、軸支持ボス１２ｂと補強板２３とに共通に穿設された円形孔を介して支持軸１３が支持ケース１２から前方へ突設するようになっている。このとき、フランジ１３ｃが補強板２３に突き当たることにより、支持軸１３の抜け止めを行っている。なお、補強板２３は、支持ケース１２の前面が支持軸１３を支持する際の補強を行うためのものである。例えば、この構成において、金属製支持軸１３のフランジ１３ｃが金属製補強板２３の円形孔周囲にスポット溶接で固着されていても良いし、ねじ締結状態で固定しても良いし、締まり嵌めの状態で嵌合させても良い。また、これらの加工法を組み合わせても良い。
【００２１】
さらに、支持ケース１２内の例えば上部には、支持軸１３周りのストロボ本体３の揺動を制振するための制振器（ダンパ）２４と、この制振器２４の回転するダンパ軸に取り付けられた被駆動ギアとしてのダンパギア２５と、が配設されている。ダンパギア２５は、図１および図２に示すように、支持ケース１２の前面側に形成された孔を介して一部が外部へ突出し、ストロボ本体３の背面側に形成されている駆動ギアとしてのギア５２と噛合するようになっている。ここに、ギア５２は、図７に示すように、支持軸１３が挿通される後述する軸受部４１の中空部４１ａを中心とした（より詳しくは、図５に示す揺動軸ＡＸを中心とした）円弧状に、ストロボ本体３の揺動範囲をカバーする角度となるように形成されている。
【００２２】
ストロボ本体３は、図１に示すように、後側本体ケース３１と前側本体ケース３２とを組み合わせてやや縦長の箱体をなす筐体を構成し、さらにこの筐体に対して電池蓋３３を着脱可能に装着して構成されている。
【００２３】
ストロボ本体３の中央部やや下側には、図１および図２に示すように、支持軸１３を中心にストロボ本体３が揺動自在となるための軸受部４１が設けられていて、この支持軸１３の軸中心が、揺動軸ＡＸ（図５参照）となる。この軸受部４１は、支持軸１３を挿通し得るように円筒形状に形成されていて、内部は円柱状の中空部４１ａとなっている。この中空部４１ａの内周面は、より詳しくは、軸受部４１の中空部４１ａの前側口元に、支持軸１３とすきま嵌め状態で嵌合する嵌合長の短い前側軸受面４１ｂと、この前側軸受面４１ｂよりもやや大径であり、軸受部４１の中空部４１ａの後側口元で軸支持ボス１２ｂの外周とすきま嵌め状態で嵌合する後側軸受面４１ｃと、により構成されている。そして、支持軸１３は、後側軸受面４１ｃとは一部に空隙を保ちながら、前側軸受面４１ｂと後側軸受面４１ｃとにより摺動可能に支持されている。このように、支持軸１３を一部のみで支持することにより、摩擦抵抗を極力小さくして滑らかに揺動を行うことができるように構成している。なお、ここでは軸受部４１の内周面により支持軸１３を揺動可能に支持する構成を採用したが、これに限らず、ベアリング等を採用してより揺動の潤滑性を高めるようにしても構わない。さらに、軸受部４１の後側軸受面４１ｃの前端側には、カメラ１００が横位置であるときに支持軸１３の開口部１３ｂを覆い得る開口となり、カメラ１００が縦位置であるときにも開口部１３ｂと共通する開口部分をもって該開口部１３ｂと連通する開口部４１ｄが設けられている。
【００２４】
そして、中空部４１ａに支持軸１３を先端側まで挿通した状態において、前方側から止めねじ４５の雄ねじ部分を雌ねじ孔１３ｅに螺合することにより、ストロボ本体３が支持軸１３周りに揺動可能に軸支される。このとき、止めねじ４５を螺合した状態では、止めねじ４５の頭部がねじ収納部１３ｄに収納され、止めねじ４５の頭部に設けられているフランジ部が軸受部４１からの支持軸１３の抜け止めを行う。
【００２５】
上述した軸受部４１を挟むストロボ本体３の一端側（後述する理由から、以下では本体上部という）に、発光源であるキセノン管３６と、このキセノン管３６により発光された光を前方へ向けて反射する反射傘３７と、キセノン管３６および反射傘３７からの光を外部へ透過させるものであり、フレネルレンズ等として構成された発光窓３４と、を有する発光部が配設されている。
【００２６】
ここに発光部は、カメラ１００の撮影レンズ１０１の撮影光軸１０１ａからの距離をなるべく長く取ることができるように、ストロボ本体３内上側の支持軸１３から極力離れた位置に配設されている。
【００２７】
また、上述した発光部の下側（支持軸１３側）に隣接するように、被写体からの光が入射される受光窓３５と、この受光窓３５を介して入射する光を受光して電気信号に変換する受光素子３８と、を有する受光部が配設されている。
【００２８】
このように、ストロボ本体３の本体上部の上側には、発光部および受光部などの必要最小限の部材以外を配置しないようにして本体上部の軽量化を図り、ひいては本体上部に重力が作用したときの支持軸１３周りの力のモーメントを小さくするようにしている。
【００２９】
さらに、本体上部内の軸受部４１の上側（つまり、本体上部の内部底面側）には、昇圧基板４２が配設されている。この昇圧基板４２は、昇圧回路４４やコネクタ４３などが実装された基板である。この昇圧基板４２には、軸受部４１の開口部４１ｄと共通する開口をもって連通する開口部４２ａが設けられている。
【００３０】
一端側がストロボ基板１４のコネクタ１７に接続されている通信線１８は、支持ケース１２の内部、支持軸１３の中空部１３ａ、支持軸１３の開口部１３ｂ、軸受部４１の開口部４１ｄ、昇圧基板４２の開口部４２ａを挿通された後に、昇圧基板４２のコネクタ４３に他端側が接続されている。
【００３１】
ここで、開口部１３ｂ，４１ｄは、図３に示すようなカメラ１００が横位置にあるときと、図４に示すようなカメラ１００が縦位置にあるときと、の何れにおいても（すなわち、カメラ１００が図９に示すような把持部１０２を上にした縦位置から図８に示したような横位置を介して図１０に示すような把持部１０２を下にした縦位置まで１８０°回転したときの何れの位置においても）、通信線１８を挿通することができるような周方向長さに切り欠かれている。このためには、開口部１３ｂ，４１ｄとして切り欠く周方向の角度は９０°よりも大きい必要があり、例えば１００°〜１８０°程度の角度とすると良い。また、開口部４２ａについても、カメラ１００が図９←→図８←→図１０の何れの位置にあっても通信線１８を挿通することができるような大きさの開口とすることは同様である。
【００３２】
また、軸受部４１を挟むストロボ本体３の他端側（同様に後述する理由から、以下では本体下部という）に、コンデンサ４６と、このコンデンサ４６への電力の供給源である電池９１ａ〜９１ｄを着脱自在に収納するための電池室４７ａ〜４７ｄと、が配設されている。
【００３３】
ここに、コンデンサ４６は、上述したキセノン管３６へ供給するための発光電力を蓄積するものであり、図５に示すように、支持軸１３からなるべく離隔した本体下部の下側の位置に配置されている。
【００３４】
また、電池室４７ａ〜４７ｄも、支持軸１３からなるべく離隔した本体下部の下側の位置に配置されている。
【００３５】
このような構成において、ストロボ本体３は、本体上部（支持軸１３の軸中心である揺動軸ＡＸよりも発光部側）の質量をＭＵ、揺動軸ＡＸから本体上部の重心ＧＵまでの距離をＲＵ、本体下部（支持軸１３を挟んで発光部と反対側）の質量をＭＤ、揺動軸ＡＸから本体下部の重心ＧＤまでの距離をＲＤとしたときに、
ＭＵ×ＲＵ＜ＭＤ×ＲＤ
の関係式を満たすように構成されている。
【００３６】
ここに、この関係式は、電池室４７ａ〜４７ｄに電池９１ａ〜９１ｄを装填して電池蓋３３を閉じた際に満たされれば足りる。ただし、収納可能な電池にも幾つかの種類（例えば、単三電池、単四電池、リチウム電池など）があると考えられるが、装填可能な範囲内で最も軽い電池を装填した際にも満たされることが望ましい。このために、図５に示すような重り５５を、支持軸１３からなるべく離隔した本体下部の下側の位置に配置して、質量ＭＤを大きくし、さらには距離ＲＤも大きくするようにしても構わない。
【００３７】
電池蓋３３は、ストロボ本体３の本体下部が正面から見たときに略半円形状をなしているのに合わせて、略半円板状に形成されており、ストロボ本体３に取り付けられた際に一体的に側面および底面を構成する側壁部３３ａと、下端側から光軸後方へ突出する係合爪３３ｂと、上端面から上方へ突出する係合突起３３ｃと、を備えている。
【００３８】
一方、ストロボ本体３は、側壁部３３ａが収容される段部５１と、係合爪３３ｂが挿入される係合穴４８と、係合突起３３ｃが係合される係合凹部３２ａと、を備えている。ストロボ本体３の係合穴４８の内部には、係合爪３３ｂが係合される角部４９が設けられ、さらにその内部に係止解除片部５０が配設されている。係止解除片部５０は、その周辺に、図６に示すような光軸方向の切込５０ａと周方向の切込５０ｂとを備えており、係合爪３３ｂの先端部の斜面と摺動可能な斜面を備えている。このような構成により、ストロボ本体３の外側から係止解除片部５０を押圧することで、係合爪３３ｂが撓んで角部４９との係合が解除され、この状態で電池蓋３３を光軸前方側へ引くことにより、電池蓋３３を取り外すことができるようになっている。
【００３９】
上述したようなストロボ装置１は、図８〜図１０に示すように、カメラ１００のストロボシュー１００ａに着脱可能に取り付けられる。このとき上述したように、ストロボ本体３を支持軸１３周りに揺動可能に軸支し、重力によって生じる支持軸１３周りの本体下部の力のモーメントが、本体上部の力のモーメントよりも大きくなるようにしたために、カメラ１００が図８に示すような横位置にあるときだけでなく、図９に示すような把持部１０２を上にした縦位置から図１０に示すような把持部１０２を下にした縦位置まで何れの位置に回転したときであっても、発光部が常に上側に位置することになる。
【００４０】
そして、カメラ１００が図８に示す横位置であるときには撮影レンズ１０１の撮影光軸１０１ａから上方に距離ＬＨだけ隔たった位置に発光窓３４が位置し、図９に示す縦位置であるときには撮影光軸１０１ａから距離ＬＬだけ上方に発光窓３４が位置し、図１０に示す縦位置であるときには撮影光軸１０１ａから距離ＬＲだけ上方に発光窓３４が位置することになり、何れにおいても撮影光軸１０１ａよりも上方から照明光を照射することが可能となる。なお、図８に示す横位置において、撮影光軸１０１ａの真上に揺動軸ＡＸが位置する場合には、図９に示す距離ＬＬと図１０に示す距離ＬＲとは同一となる。
【００４１】
続いて、図１１を参照して、ストロボ装置１の電気的な構成について説明する。
【００４２】
ストロボ本体３内には、電池９１ａ〜９１ｄが収納されるようになっているとともに、上述したような昇圧回路４４と、コンデンサ４６と、キセノン（Ｘｅ）管３６と、が設けられ、さらに発光制御回路６１およびＩＧＢＴ（絶縁ゲート型バイポーラトランジスタ）６２が配設されている。
【００４３】
ここに、電池９１ａ〜９１ｄは、例えば図１や図５に示すように極性が互い違いとなるように装填され、直列に接続されている。これら電池９１ａ〜９１ｄと並列となるように、例えばＤＣ／ＤＣ回路として構成される昇圧回路４４が接続されている。この昇圧回路４４により昇圧された電力は、該昇圧回路４４と並列に接続されたコンデンサ４６に蓄積される。このコンデンサ４６に蓄積された電力は、キセノン管３６と直列に接続されたＩＧＢＴ６２がスイッチとして機能してオンしたときに、該キセノン管３６に供給されるようになっている。
【００４４】
キセノン管３６の発光時間の制御、すなわち、ＩＧＢＴ６２をオンにし、キセノン管３６へ放電トリガーを印加して発光を開始させ、ＩＧＢＴ６２をオフすることにより発光を終了させる制御は、発光制御回路６１により行われるようになっている。
【００４５】
このようなストロボ本体３は、上述したように、通信線１８を介して支持筐体２と電気的に接続されている。この支持筐体２内には、マイクロコンピュータ１６と、表示部１５と、操作部材１９と、通信端子２０とが配設されている。ここに、マイクロコンピュータ１６自体の動作電源として、電池９１ａ〜９１ｄが用いられる。そして、マイクロコンピュータ１６は、操作部材１９からの操作入力や、通信端子２０を介して受信したカメラ１００の制御部からの指令に基づいて、昇圧回路４４の昇圧動作を制御するとともに、発光制御回路６１を制御し、さらに発光制御に係る情報（例えば、調光モード、オート発光／マニュアル発光、照射画角、発光量補正値、ガイドナンバー、ＩＳＯ感度、絞り値、距離、等）を表示部１５へ表示し、あるいは必要な情報を通信端子２０を介してカメラ１００の制御部へ送信するようになっている。
【００４６】
このような実施形態１によれば、自重バランスにより発光部が常に上側に位置するようにストロボ装置１を構成したために、駆動源を必要とすることなく、自然な照明を行い得る位置に移動することができる。
【００４７】
このとき、ストロボ本体３内において質量が大きいコンデンサ４６を本体下部の下側に配置したために、発光部が常に上側に位置するような自重バランスを効果的に実現することができる。
【００４８】
本体下部の電池室４７ａ〜４７ｄに電池９１ａ〜９１ｄを装填することで、より確実に発光部が常に上側に位置するような自重バランスを実現するように構成したために、ストロボ装置１を無駄に重くすることなく、軽量化を図ることができる。
なお、ストロボ装置の仕様上、発光光量を抑えてでも、より小型のストロボ装置を提供したい場合があり、このときには小型の電池、小型のコンデンサなどを用いることもある。こうした場合には、電池の質量（重量）やコンデンサの質量（重量）に頼ることなく、あるいは重り等を用いることなく、ストロボ装置の内容物の配置を工夫することにより、発光部を常に上部に位置させる自重バランスを達成することができる可能性もある。従って、必ずしも電池、コンデンサが本体下部にある必要はない。例えば、一対の電池などを支持軸１３の左右側対称位置に一個ずつ配置して重力による支持軸１３周りの力のモーメントを発生させないようにし、小さな発光用コンデンサを支持軸１３のやや上に配置し、他の電気部品を可能な限りストロボ本体３の本体下部に集中させ、かつ支持軸１３の下に可能な限り離間させて配置することもその１つである。
【００４９】
加えて、重り５５を支持軸１３からなるべく離隔した本体下部の下側の位置に配置するようにした場合には、質量の増加をなるべく抑制しながら、質量ＭＤと距離ＲＤとを一定の範囲内で所望に大きくすることが可能となり、設計の自由度が大きくなる利点がある。
【００５０】
また、制振器２４を設けたために、支持軸１３周りのストロボ本体３の揺動（振動）を短時間で収束させ安定した状態へ移行することが可能となる。従って、カメラ１００の姿勢を変更したときに、支持軸１３周りのストロボ本体３の揺動が収まるのを長時間待つ必要がなく、迅速に撮影を行うことが可能となる。
【００５１】
なお、本発明は上述した実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素から幾つかの構成要素を削除しても良い。さらに、異なる実施形態にわたる構成要素を適宜組み合わせても良い。このように、発明の主旨を逸脱しない範囲内において種々の変形や応用が可能であることは勿論である。
【符号の説明】
【００５２】
１…ストロボ装置
２…支持筐体
３…ストロボ本体
１１…取付座
１２…支持ケース
１３…支持軸
１４…ストロボ基板
１５…表示部
１６…マイクロコンピュータ
２３…補強板
２４…制振器
２５…ダンパギア
３１…後側本体ケース
３２…前側本体ケース
３３…電池蓋
３４…発光窓（発光部）
３５…受光窓（受光部）
３６…キセノン管（発光部）
３７…反射傘（発光部）
３８…受光素子（受光部）
４１…軸受部
４２…昇圧基板
４４…昇圧回路
４６…コンデンサ
４７ａ〜４７ｄ…電池室
５２…ギア
６１…発光制御回路
９１ａ〜９１ｄ…電池
１００…カメラ
１００ａ…ストロボシュー
１０１…撮影レンズ
１０１ａ…撮影光軸
１０２…把持部
ＡＸ…揺動軸
ＧＤ…本体下部の重心
ＧＵ…本体上部の重心
ＭＤ…本体下部の質量
ＭＵ…本体上部の質量
ＲＤ…揺動軸ＡＸから本体下部の重心ＧＤまでの距離
ＲＵ…揺動軸ＡＸから本体上部の重心ＧＵまでの距離
【図１】
2012042609.tif 000003
【図２】
2012042609.tif 000004
【図３】
2012042609.tif 000005
【図４】
2012042609.tif 000006
【図５】
2012042609.tif 000007
【図６】
2012042609.tif 000008
【図７】
2012042609.tif 000009
【図８】
2012042609.tif 000010
【図９】
2012042609.tif 000011
【図１０】
2012042609.tif 000012
【図１１】
2012042609.tif 000013